(57)【要約】      （修正有）【課題】扇風機のカバーをはずすこともなく簡単に留め具一つで取り付けられる芳香剤入りパックを提供する。【解決手段】通気性の良い紙１，２と粒状の芳香剤３で構成された芳香剤入りバッグを扇風機６のカバー７を外すことなくカバーに取り付けることが出来る。バッグの中心に切り込み４，５を、円周の０°と１８０°のところを各々残して、弧状に入れることにより留め具２１一つで簡単に隣り合うワイヤ８とワイヤの間に取り付けることが出来る。留め具の先の幅より広いワイヤ間の扇風機カバーを有する全ての機種に取り付けることが可能である。【選択図】図５
2006283745.tif 000002
【特許請求の範囲】
【請求項１】
同じ形、同じ大きさに切り取られた通気性のよい紙２枚の間に粒状の芳香剤を挟み込み、紙のふちと紙の中心の各々を接着し、芳香剤を紙の間にドーナツ状に閉じ込め紙の中心の接着部分に切り込みを円周の０°と１８０°のところを各々残して弧状に入れ、その切り込み部分を切り残した０°と１８０°を結ぶ直線と扇風機のカバーのワイヤ部分を重ねて弧状に入った切り込みの内側でワイヤを挟み込むように摘み、その部分を留め具で簡単にそのワイヤに固定できる扇風機の風力を利用して香りを空間に散布できる芳香剤入りバッグ。
【発明の詳細な説明】
【技術分野】
【０００１】  本発明は、一般家庭にある複数のワイヤで構成され、隣り合うそのワイヤとワイヤの間が留め具の先の幅より広い扇風機のカバーに留め具一つで簡単に取り付けられ扇風機の風力を利用して空間を香りに満ちたものにする芳香剤入りバッグに関する。
【背景技術】
【０００２】  従来の扇風機を利用した香りを空間に散布するものは扇風機のカバーをはずして直接回転羽根やその付近に香料またはその香料の収納容器を取り付けるものがある（例えば、特許文献１参照。）。
また、扇風機のカバーの形状が複数のワイヤが周縁部から中心部に向けて設けられたものにきめられた特定の位置に芳香剤を収容しうる容器をとりつけるものがある（実用新案文献１参照。）。【０００３】  以下、図７、図８により従来の扇風機を利用した香りを空間に散布する芳香剤について説明する。図７においては、その使用目的により選択された各種の香料９またはその香料９の収納容器１０を、風力を生起する扇風機１１の回転羽根１２の前面側若しくはその付近に着脱可能に取り付けられている。図８においては、複数のワイヤ１５が周縁部から中心部に向けて設けられた扇風機のカバー１６に着脱可能に取り付けられる取り付けステー１３と、該取り付けステー１３に連結されかつ芳香剤を収容しうる通気性容器体１４とから構成し、上記取り付けステー１３に、上記カバー１６の隣接する２本のワイヤ１７，１８をそれぞれ嵌め込む２つの溝を設け、溝底間の間隔を、前記隣接する２本のワイヤ間の中心側の間隔１９よりは大きくかつ周縁部側の間隔２０よりは小さく設定する。
【特許文献１】  特許公開２００２−２０２０９０
【実用新案文献１】
登録実用新案第３０５４７６１号
【発明の開示】
【発明が解決しようとする課題】
【０００４】  以上に述べた従来の扇風機を利用した香りを空間に散布する芳香剤は、扇風機のカバーをはずす手間をかけて、その回転羽根やその付近に直接香料または香料の収納容器を付けるものや、芳香剤を収容しうる容器を扇風機に取り付けるのに、扇風機のカバーの形状やその位置に決まりがあった。【０００５】  本発明は、このような従来の構成が有していた問題を解決しようとするものであり、扇風機のカバーをはずすこともなく簡単に留め具一つで複数のワイヤで構成され、隣り合うそのワイヤとワイヤの間が留め具の先の幅より広い扇風機のカバーを有する扇風機の全ての機種に芳香剤入りバッグを取り付けることが可能なことを目的とするものである。
【課題を解決するための手段】
【０００６】  同じ形、同じ大きさに切り取られた通気性のよい紙２枚の間に粒状の芳香剤を挟み込み、紙のふちと紙の中心の各々を接着し、芳香剤を紙の間にドーナツ状に閉じ込め紙の中心の接着部分に切り込みを円周の０°と１８０°のところを各々残して弧状に入れ、その切り込み部分を切り残した０°と１８０°を結ぶ直線と扇風機のカバーのワイヤ部分を重ねて弧状に入った切り込みの内側でワイヤを挟み込むように摘み、その部分を留め具で簡単にそのワイヤに固定できる扇風機の風力を利用して香りを空間に散布できる芳香剤入りバッグである。【０００７】  上記の課題解決手段による作用は次の通りである。すなわち、通気性の良い紙と粒状の芳香剤で構成された芳香剤入りバッグを扇風機のカバーに取り付けることにより扇風機のカバーを取り外す手間を省くことができる。また、バッグの中心のところに切り込みを円周の０°と１８０°のところを各々残して弧状に入れることによりその芳香剤入りバッグを留め具一つで簡単に複数のワイヤで構成され、隣り合うそのワイヤとワイヤの間が留め具の先の幅より広い扇風機のカバーを有する扇風機の全ての機種に取り付けることが可能である。
【発明の効果】
【０００８】  上述したように本発明の芳香剤入りバッグは扇風機に取り付けるさいに扇風機のカバーをはずす手間を省き複数のワイヤで構成され、隣り合うそのワイヤとワイヤの間が留め具の先の幅より広い扇風機のカバーを有する扇風機の全ての機種に留め具一つで簡単に取り付けることが可能な芳香剤入りバッグを提供できる。
【発明の実施するための最良の形態】
【０００９】  以下、本発明の実施の形態を図１〜図６に基づいて説明する。
【００１０】  図においては、１，２，３は芳香剤入りバッグで、同じ形、同じ大きさに切り取られた通気性の良い紙１と２の間に粒状の芳香剤３がドーナツ状に閉じ込められている。紙の中心に円周の０°と１８０°のところを残して切り込み４と５が弧状に入っている。
【００１１】  以下、上記構成の動作を説明する。図４において芳香剤入りバッグを扇風機６のカバー７に重ねる。図５において芳香剤入りバッグの中心の切り込み４と５の間のきり残した部分を結ぶ直線と扇風機６のカバー７を構成するワイヤ８とを重ね合わせ切り込み４と５の内側でワイヤ８を挟み込むように摘み、その部分を留め具２１で固定する。このとき扇風機６のスイッチを入れ回転羽根が起こす風が通気性の良い紙２を通過し芳香剤３の香りを取込みその風がまた通気性の良い紙１を通過する。
【００１２】  以上のように、本実施形態によれば簡単に芳香剤入りバッグを複数のワイヤで構成され、隣り合うワイヤとワイヤの間が留め具の先の幅より広いカバーを有する扇風機の全ての機種に留め具一つで取り付けることが可能で、香りに満ちた空間を得られるものである。
【図面の簡単な説明】
【００１３】
【図１】本発明の実施形態を示す芳香剤入りバッグを前方から見た部分断面図
【図２】同芳香剤入りバッグを斜から見た図１におけるＡ−Ａ線断面図
【図３】同芳香剤入りバッグを横から見た図１におけるＡ−Ａ線断面図
【図４】斜から見た同芳香剤入りバッグを扇風機のカバーに留め具で取り付けた外観図
【図５】図４を芳香剤入りバッグの部分断面図を中心に拡大した図
【図６】留め具の図
【図７】従来の扇風機を利用した香りを空間に散布する芳香剤の図
【図８】従来の扇風機を利用した香りを空間に散布する芳香剤の図
【符号の説明】
【００１４】  １  ２と同じ形、同じ大きさに切り取られた通気性の良い紙
２  １と同じ形、同じ大きさに切り取られた通気性の良い紙
３  粒状の芳香剤
４と５  紙の中心に０°と１８０°のところを各々残して弧状に入れた切り込み
６  扇風機
７  カバー
８  ワイヤ
９  従来の扇風機を利用した香りを空間に散布する芳香剤の香料
１０  従来の扇風機を利用した香りを空間に散布する芳香剤の香料の収納容器
１１  従来の扇風機を利用した香りを空間に散布する芳香剤の香料またはその香料の収入容器が付いた回転羽根を有する扇風機
１２  従来の扇風機を利用した香りを空間に散布する芳香剤の香料またはその収納容器がついた回転羽根
１３  従来の扇風機を利用した香りを空間に散布する芳香剤の取り付けステーと該取付ステー
１４  従来の扇風機を利用した香りを空間に散布する芳香剤をを収入しうる通気性容器体
１５  従来の扇風機を利用した香りを空間に散布する芳香剤がついた扇風機の複数のワイヤ
１６  従来の扇風機を利用した香りを空間に散布する芳香剤がついた扇風機のカバー
１７  従来の扇風機を利用した香りを空間に散布する芳香剤の取り付けステーがついた扇風機のカバーの隣接する２本のワイヤの内の１本
１８  従来の扇風機を利用した香りを空間に散布する芳香剤の取り付けステーに、扇風機のカバーの隣接する２本のワイヤの内の１本
１９  従来の扇風機を利用した香りを空間に散布する芳香剤がついた扇風機カバーの隣接する２本のワイヤ間の中心側の間隔
２０  従来の扇風機を利用した香りを空間に散布する芳香剤がついた扇風機カバーの隣接する２本のワイヤ間の周縁部側の間隔
２１  留め具
【図１】
2006283745.tif 000003
【図２】
2006283745.tif 000004
【図３】
2006283745.tif 000005
【図６】
2006283745.tif 000006
【図４】
2006283745.tif 000007
【図５】
2006283745.tif 000008
【図７】
2006283745.tif 000009
【図８】
2006283745.tif 000010